(57)【要約】【課題】【解決手段】タイル（５）などの切断用携帯型装置に関する。この切断装置はハウジング部（２０）とその内部キャリッジ部（６）が装着され、キャリッジ部（６）はハウジング部内に設けられたモータ手段（１１）による動力様式でリニヤー通路に沿って作動するように配置される。取り替え自在の切断刃（２）はリニヤー通路に沿って移動するようにキャリッジ部に固定される。ハウジング部（２０）内には受け開口部（３０）が設けられ、該受け開口部（３０）を通じて切断されるタイル（５）などが手動で切断装置に入れられる。受け開口部と関連付けて調整可能であり、タイル（５）などが望みの切断箇所に対向して配置されるストッパ手段（１）が設けられる。
2013516342.tif 000002
【特許請求の範囲】
【請求項１】
切断装置は、ハウジング部（２０）を備え、該ハウジング部（２０）の内側にキャリッジ部（６）が装着され、キャリッジ部（６）はハウジング部（２０）内に設けられたモータ手段（１１）による動力で、リニヤーな通路に沿って作動するように配置され、
キャリッジ部（６）と共に移動し、そしてタイルなどの表面に望みの切り込みを作るために配置される置換可能なカッタ刃（２）がキャリッジ部（６）に固定され、
ハウジング部（２０）には受け開口部（３０）が設けられ、該受け開口部（３０）を通じて切断されるタイル（５）などが手動で切断装置に導入され、
そして受け開口部（３０）と関連付けて調整可能であり、タイル（５）などが望みの切断位置に配置されるのに対向して配置されるストッパ手段（１）がカッタ刃（２）の通路に関連して望みの切断箇所に位置するように配置されることを特徴とするタイル（５）などの切断用携帯型装置。
【請求項２】
切断装置はタイル（５）等の残りから切断刃（２）でできた切り込みに沿って自動的に分離される部分（９）を離す手段（１６，１６ａ）を備えている切断装置に特徴がある請求項１記載の切断用携帯型装置。
【請求項３】
ストッパ手段（１）に対向して切断されるタイル（５）などの位置を検出し、自動的に切断と分離工程を開始する検出手段（３）を備えていることを特徴とする請求項１又は２記載の切断用携帯型装置。
【請求項４】
切断装置は手動で作動するスタートスイッチを有することを特徴とする請求項１又は２記載の切断用携帯型装置。
【請求項５】
モータ（１１）が電気的に作動することを特徴とする先行する請求項のいずれかに記載の切断用携帯型装置。
【請求項６】
キャリッジ部（６）は互いに離れて位置している一対のリニヤーガイド（２３）に沿って移動するように配置し、関節のあるアーム（４）によりモータ（１１）の動力出力シャフト（２２）に連結し、キャリッジ部（６）内の関節のあるアーム（４）の固定点（２１）が、関節のあるアーム（４）が出力シャフト（２２）の回転運動と共に曲がるにつれて、リニヤーガイドに関連して反対方向に動くことができることを特徴とする先行する請求項のいずれかに記載の切断用携帯型装置。
【請求項７】
キャリッジ部（６）が互いに離れて位置する一対のリニヤーガイドに沿って動くように配置され、歯付きベルト又はスクリュー軸によりモータ（１１）に接続していることを特徴とする先行する請求項のいずれかに記載の切断用携帯型装置。
【発明の詳細な説明】
【技術分野】
【０００１】
本発明はタイル（５）などの切断用携帯型装置に関し、該切断装置はリニヤーな通路に沿って移動するように配置され、タイルなどの表面に切り込みを作る、取り替え可能な切断刃を含む。
【背景技術】
【０００２】
切断刃がマニュアル操作でリニヤーガイドに沿って移動するように配置された種々の手動操作されるタイルの切断装置が従来から知られている。ダイヤモンド刃を有する環状のノコギリ刃タイプのタイルカッタが知られている。これら環状ノコギリ刃タイプのカッタの問題点は騒音の発生とダストができることであり、同時にタイルから小片が出て、オペレータの手や顔に高速で飛び散ることである。これらのタイプのデバイスはタイル張りのために、環境を清潔に保つ目的で細心の保護と効果的なダスト除去用の用意が必要である。そのような環状のノコギリ刃タイプのデバイスは、さらに、実際の作業場からダストと、タイル張りされる基礎上の仕上げ部分から小片が放出されることをしばしば防いでいる。
【０００３】
公開番号ＷＯ２００９／１０９８３７では、タイルを切断装置に導入するための第１の搬送手段及びタイルを切断装置から引き出すための第２の搬送手段からなるタイルなどの切断装置が知られている。これを解決するには、携帯用装置には不適切だが、工場の条件にはより適している重く、複雑な構成にするいくつかのモータの使用を必要とする。
【先行技術文献】
【特許文献】
【０００４】
【特許文献１】ＷＯ２００９／１０９８３７
【発明の概要】
【発明が解決しようとする課題】
【０００５】
本発明の目的はかなりの騒音またはダストの原因となることなく、タイルなどの切断を容易にし、作業をかなり速くする比較的小型の携帯用タイル切断装置を提供することであり、切断装置は数キログラムしかないことが容易に分かり、電池で作動することもできるので、作業場まで運搬しやすい。さらなる目的は片手で使用できる扱いやすい切断装置を提供することである。
【課題を解決するための手段】
【０００６】
この目的を達成するためには、本発明記載の切断装置はハウジング部に受け開口部が設けられ、そこを通じて切断されるタイルなどが手動で切断装置に導入されること、そして、受け開口部に対向して配置されるタイルなどが刃の通路に対して望みの切断箇所に位置するような方法で調節できる調節可能なストッパ手段が受け開口部と関連づけて設けられることを特徴とする。
【発明の効果】
【０００７】
本発明の切断装置は作業場に持って行き易く、手動装置と比較してタイル作業が実質的に速くできる、小型で、比較的単純で確実に携帯できるタイル切断装置が実現できる。タイルの寸法決め、切断装置の始動、切り込みを作ること、切り込みで切断することをすべて同時に、且つ片手で該切断装置によって行うことができる。
【図面の簡単な説明】
【０００８】
【図１】本発明に記載の切断装置利用の原則としての線図を示す。
【図２】図１の切断装置の正面から見た断面図を示す。
【図３】図１の切断装置の後ろから見た断面図を示す。
【図４】図１の切断装置の側面から見た断面図を示す。
【発明を実施するための最良の形態】
【０００９】
本発明は添付の図面を参照して、下記に詳細を記載する。  
図１〜４に示した本発明の好ましい実施例によると、該切断装置はボディ部またはハウジング部２０を備え、その上部には切断されるタイルのための受け開口部３０が作られている。ボディ部２０の前側にはタイルから分離された部分のための放出開口部１３が作られている。該装置は望ましくは装置の移動を容易にするための運搬用ハンドル７を備えている。
【００１０】
ボディ部２０内にはリニヤーガイド２３及び該リニヤーガイドに沿って移動するキャリッジ部６が配置されている。アーム部とダイヤモンド刃からなる切断刃２がキャリッジ部６に固定されている。実施例に示すように、キャリッジ部６はボディ部に設けたモータ１１によってリニヤーガイド２３に沿って前後に動くように配置されている。キャリッジ部６は出力シャフト２２の回転運動と共に曲線状の通路に沿って前後に回転する関節アーム４によってモータ１１の出力シャフト２２に接続されている。キャリッジ部６上の関節アーム４の固定位置２１はキャリッジ部６の縦方向に移動するように配置されているので、出力シャフト２２が時計回りあるいは反時計回りに回転するにつれてキャリッジ部がリニヤーガイド２３に沿って移動することができる。
【００１１】
さらに、ボディ部２０には、切断されるタイル５が切断刃２の通路に関連して望みの位置に設置できるような方法で調節できるストッパ手段１を設けている。ストッパ１は望ましくは、タイル５の切断位置が正確に望みの位置に設置できるよう定規を設けている。タイルはストッパ１に押し当て手動で開口部３０に設置される。ストッパ１は望ましくは手動で操作される。
【００１２】
該装置には望ましくは、タイルがストッパ１に押し当てられると該装置を自動的に始動する接触スイッチ３を設ける。該装置には接触スイッチ３の代わりに、タイルが切断刃２の通路に対して正しい位置にある時該装置を始動させる異なる計器があってもよい。
【００１３】
該装置が始動するとキャリッジ部がリニヤーガイド２３に沿って動き始め、切断刃２はタイル５の表面に切り込みを作る。そして、キャリッジ部６が原因でロッカーレベル１６が外側に押されて衝撃を与えるやいなや、キャリッジ部がタイルを過ぎて前方に動くと、キャリッジ部はストッパ部１６ａが配置されている下縁の上部にあるロッカーレベル１６で衝撃を与える。
【００１４】
そして、ロッカーレベル上の圧迫部１６ｂが本来切り込みに位置する支持手段８の先端に対してタイル５を同時に圧迫して、支持手段８の先端付近の外側の切り込みの下にタイル５の部分９があるので、タイル５の残りの部分から分離することになる。
【００１５】
この分離した部分１５は、ロッカーレバーに接続した押す部分１０によって押され、ボディ部に作られた放出開口部を通って該装置から自動的に出る。受け開口部３０にあるタイルの一部は受け開口部上端によって持ち上げることにより手動で除去することができる。また、該装置はタイルの一部を除去し易くするために開口部３０にあるタイルの一部を上方に持ち上げるための持ち上げ手段からなる。持ち上げ手段は例えば、バネで作動することができる。
【００１６】
該モータは望ましくは電動式であり、例えば電池あるいは幹線電流源から必要な電力を獲得することができる。
上述した実施例の唯一の目的は、本発明の好ましい実施例をそれに制限されないように記述することである。例えば、キャリッジ部は関節アームによって操作する代わりに、歯付きベルト又はチェーン又はスクリューによって操作することができる。さらに、例えばリニヤーガイドはボディ部に形成されたガイド・バーとして作ることができ、リニヤーガイドの数は１つ又は２つ以上でも良い。さらに、「リニヤー」という用語は、本願において直線通路及び曲線または曲がりくねった方法で進む通路の両方を含めるために使用される。例えば、キャリッジ部はガイド部に沿って進むので、キャリッジ部に関連づけて動くようにガイド部を配置することにより、又は望ましい通路を採る方法で制御されるキャリッジ部の動きを設定することにより、切断刃の望ましい通路が分かる。
【００１７】
本発明の解決策によれば、作業場に持って行き易く、手動装置と比較してタイル作業が実質的に速くできる、小型で、比較的単純で確実に携帯できるタイル切断装置が実現できる。タイルの寸法決め、切断装置の始動、切り込みを作ること、切り込みで切断することをすべて同時に、且つ片手で該切断装置によって行うことができる。
【図１】
2013516342.tif 000003
【図２】
2013516342.tif 000004
【図３】
2013516342.tif 000005
【図４】
2013516342.tif 000006
【国際調査報告】
2013516342.tif 000007
2013516342.tif 000008
2013516342.tif 000009